(57)【要約】【課題】ハードウェアによるロック機構を設けなくとも、決済媒体の取り忘れ防止効果を高めること。【解決手段】情報処理装置と、画像処理装置を有する画像処理システムにおいて、前記情報処理装置は、課金の対象となる画像処理に係る機能の設定を受け付ける受付部と、カードリーダを用いて、前記画像処理に係る機能の代金を決済するための決済媒体からデータを読み取る読取部と、前記読取部により読み取られたデータに基づいて前記代金を決済する決済部と、前記決済部による前記代金の決済が完了した後、前記カードリーダから前記決済媒体が離された際に、前記受付部で受け付けた設定に応じた前記画像処理に係る機能を前記画像処理装置に実行させる制御部と、を有し、前記画像処理装置は、前記情報処理装置からの指示に従い、前記画像処理に係る機能を実行する実行部と、を有する。【選択図】図５
2019036840.tif 000002
【特許請求の範囲】
【請求項１】
情報処理装置と、画像処理装置を有する画像処理システムであって、
前記情報処理装置は、
課金の対象となる画像処理に係る機能の設定を受け付ける受付部と、
カードリーダを用いて、前記画像処理に係る機能の代金を決済するための決済媒体からデータを読み取る読取部と、
前記読取部により読み取られたデータに基づいて前記代金を決済する決済部と、
前記決済部による前記代金の決済が完了した後、前記カードリーダから前記決済媒体が離された際に、前記受付部で受け付けた設定に応じた前記画像処理に係る機能の実行を前記画像処理装置に指示する制御部と、を有し、
前記画像処理装置は、
前記情報処理装置からの指示に従い、前記画像処理に係る機能を実行する実行部と、を有する、
画像処理システム。
【請求項２】
前記カードリーダは、前記決済媒体を載置可能な位置の近傍に設けられ、前記位置に載置された前記決済媒体から前記データを読み取り、
前記制御部は、前記位置から前記決済媒体が取り除かれた際に、前記画像処理に係る機能を前記画像処理装置に実行させる、
請求項１に記載の画像処理システム。
【請求項３】
前記決済部は、前記決済媒体から読み取ったデータ、及び前記代金のデータを外部装置に送信し、前記代金の決済を前記外部装置に実行させる、
請求項１または２に記載の画像処理システム。
【請求項４】
前記制御部は、前記代金の決済方法として現金による決済が選択された場合、所定の操作を受け付けた際に、前記代金の現金による決済を行うとともに、前記受付部で受け付けた設定に応じた前記画像処理に係る機能を前記画像処理装置に実行させる、
請求項１乃至３のいずれか一項に記載の画像処理システム。
【請求項５】
前記決済部は、前記代金の決済が完了した後、前記カードリーダから前記決済媒体が離される前に、前記画像処理に係る機能をキャンセルする操作を受け付けられると、前記代金の決済をキャンセルする、
請求項１乃至４の何れか一項に記載の画像処理システム。
【請求項６】
前記制御部は、前記決済部による前記代金の決済が完了した後、所定時間以上経過しても、前記カードリーダから前記決済媒体が離されない場合、前記決済媒体を前記カードリーダから離すことを促すメッセージを出力する
請求項１乃至５の何れか一項に記載の画像処理システム。
【請求項７】
前記画像処理に係る機能は、印刷、スキャンした画像データの送信、及びＦＡＸ送信の少なくとも一つを含む、
請求項１乃至６の何れか一項に記載の画像処理システム。
【請求項８】
課金の対象となる画像処理に係る機能の設定を受け付ける受付部と、
カードリーダを用いて、前記画像処理に係る機能の代金を決済するための決済媒体からデータを読み取る読取部と、
前記読取部により読み取られたデータに基づいて前記代金を決済する決済部と、
前記決済部による前記代金の決済が完了した後、前記カードリーダから前記決済媒体が離された際に、前記受付部で受け付けた設定に応じた前記画像処理に係る機能の実行を指示する制御部と、
前記制御部からの指示に従い、前記画像処理に係る機能を実行する実行部と、を有する、
画像処理装置。
【請求項９】
課金の対象となる画像処理に係る機能の設定を受け付ける受付部と、
カードリーダを用いて、前記画像処理に係る機能の代金を決済するための決済媒体からデータを読み取る読取部と、
前記読取部により読み取られたデータに基づいて前記代金を決済する決済部と、
前記決済部による前記代金の決済が完了した後、前記カードリーダから前記決済媒体が離された際に、前記受付部で受け付けた設定に応じた前記画像処理に係る機能の実行を指示する制御部と、を有する、
情報処理装置。
【請求項１０】
情報処理装置が、
課金の対象となる画像処理に係る機能の設定を受け付けるステップと、
カードリーダを用いて、前記画像処理に係る機能の代金を決済するための決済媒体からデータを読み取るステップと、
読み取られたデータに基づいて前記代金を決済するステップと、
前記代金の決済が完了した後、前記カードリーダから前記決済媒体が離された際に、前記設定に応じた前記画像処理に係る機能の実行を指示するステップと、
を実行する情報処理方法。
【請求項１１】
画像処理システムが、
課金の対象となる画像処理に係る機能の設定を受け付けるステップと、
カードリーダを用いて、前記画像処理に係る機能の代金を決済するための決済媒体からデータを読み取るステップと、
読み取られたデータに基づいて前記代金を決済するステップと、
前記代金の決済が完了した後、前記カードリーダから前記決済媒体が離された際に、前記設定に応じた前記画像処理に係る機能の実行を指示するステップと、
前記指示に従い、前記画像処理に係る機能を実行するステップと、
を実行する情報処理方法。
【請求項１２】
コンピュータに、
課金の対象となる画像処理に係る機能の設定を受け付けるステップと、
カードリーダを用いて、前記画像処理に係る機能の代金を決済するための決済媒体からデータを読み取るステップと、
読み取られたデータに基づいて前記代金を決済するステップと、
前記代金の決済が完了した後、前記カードリーダから前記決済媒体が離された際に、前記設定に応じた前記画像処理に係る機能の実行を指示するステップと、
を実行させるプログラム。
【発明の詳細な説明】
【技術分野】
【０００１】
本発明は、画像処理システム、画像処理装置、情報処理装置、情報処理方法、及びプログラムに関する。
【背景技術】
【０００２】
コンビニ等に設置されている複合機等の画像処理装置で、ユーザが持っている書類をコピーしたり、クラウドなどに予め登録してある文書データをプルプリントしたりするサービスが提供されている。また、スマートフォン等の携帯端末に記憶されている文書データをユーザが施設の複合機で印刷するサービスも提供され始めている。また、写真や書類などの紙媒体をユーザが複合機を用いてスキャンすることにより電子データ化し、当該データを携帯端末やＵＳＢメモリ等に保存するサービスも提供され始めている。
【０００３】
また、印刷等の各種サービスの利用料を、電子マネーカードや、電子マネーカード等の機能を備える携帯端末等の決済媒体を用いて支払えるようにするサービスが知られている。決済媒体の取り忘れを防止するため、決済の完了後、音声や表示部等により、決済媒体の取り忘れを防ぐためのメッセージ等を出力する技術も知られている。
【０００４】
また、決済カードの取り忘れを防止するため、カードが取り出されたことを確認した後に、ロック機構による蓋体のロックを解除して、写真プリント取出口からペーパーの取り出せるようにする技術が知られている（例えば、特許文献１参照）。
【発明の概要】
【発明が解決しようとする課題】
【０００５】
しかしながら、従来のメッセージ等により取り忘れを防止する技術では、決済媒体の取り忘れを防げない場合がある問題がある。
【０００６】
また、従来の出力部にロック機構を設ける技術では、新たにハードウェアによるロック機構を設ける必要があり、コストがかかるという問題がある。また、例えば、スキャンしたデータをスマートフォン等に無線で送信するサービスや、ＦＡＸ等のサービスを決済媒体を用いて利用させる場合においては、ハードウェアの機構では対応することができないという問題がある。
【０００７】
そこで、ハードウェアによるロック機構を設けなくとも、決済媒体の取り忘れ防止効果を高めることができる技術を提供することを目的とする。
【課題を解決するための手段】
【０００８】
情報処理装置と、画像処理装置を有する画像処理システムにおいて、前記情報処理装置は、課金の対象となる画像処理に係る機能の設定を受け付ける受付部と、カードリーダを用いて、前記画像処理に係る機能の代金を決済するための決済媒体からデータを読み取る読取部と、前記読取部により読み取られたデータに基づいて前記代金を決済する決済部と、前記決済部による前記代金の決済が完了した後、前記カードリーダから前記決済媒体が離された際に、前記受付部で受け付けた設定に応じた前記画像処理に係る機能を前記画像処理装置に実行させる制御部と、を有し、前記画像処理装置は、前記情報処理装置からの指示に従い、前記画像処理に係る機能を実行する実行部と、を有する。
【発明の効果】
【０００９】
開示の技術によれば、ハードウェアによるロック機構を設けなくとも、決済媒体の取り忘れ防止効果を高めることができる。
【図面の簡単な説明】
【００１０】
【図１】実施形態に係る通信システムのシステム構成の一例を示す図である。
【図２】情報端末のハードウェア構成の一例を示す図である。
【図３】複合機のハードウェア構成の一例を示す図である。
【図４】画像処理システムの機能ブロックの一例を示す図である。
【図５】通信システムの処理の一例を示すシーケンス図である。
【図６】情報端末の処理の一例を示すフローチャートである。
【図７Ａ】情報端末の表示画面の一例を示す図である。
【図７Ｂ】情報端末の表示画面の一例を示す図である。
【図７Ｃ】情報端末の表示画面の一例を示す図である。
【図７Ｄ】情報端末の表示画面の一例を示す図である。
【図７Ｅ】情報端末の表示画面の一例を示す図である。
【発明を実施するための形態】
【００１１】
以下、本発明を実施するための形態について図面を参照しながら説明する。
【００１２】
＜システム構成＞
図１は、実施形態に係る通信システム１のシステム構成の一例を示す図である。通信システム１は、決済媒体１０、画像処理システム１００、及び管理サーバ６０を有する。
【００１３】
画像処理システム１００は、コンビニ、スーパー、及びショッピングセンター等の店舗、大学、病院等の施設に設置されてもよい。画像処理システム１００は、複合機２０、及び情報端末３０を有する。
【００１４】
複合機２０と情報端末３０とは、例えば、ＵＳＢケーブルやＬＡＮケーブル等により通信可能に接続されている。
【００１５】
情報端末３０と管理サーバ６０とは、例えば、携帯電話網、またはインターネット等のネットワークを介して通信可能に接続されている。
【００１６】
決済媒体１０は、画像処理システム１００の利用代金の決済に用いられる。決済媒体１０は、例えば、電子マネーカード、クレジットカード、キャッシュカード等である。決済媒体１０は、リーダに非接触で読み取り可能なカードでもよいし、リーダに接触して読み取り可能なカードでもよい。また、決済媒体１０は、例えば、電子マネーカード、クレジットカード、キャッシュカード等の機能が組み込まれたスマートフォン、またはスマートウオッチ等の端末でもよい。
【００１７】
決済媒体１０は、電子マネーカードの場合、電子マネーのサービス会社のサーバと、販売店等の決済用端末をオンラインで接続し決済を行うオンライン方式で決済を行うようにしてもよい。または、金銭価値を磁気チップやＩＣチップなどに記録し、小売店等の決済端末によりオフライン決済を行うオフライン方式で決済を行うようにしてもよい。または、コンピュータネットワーク間の取引だけで仮想クーポンとして利用する仮想通貨方式で決済を行うようにしてもよい。
【００１８】
電子マネーカードの例としては、例えば、Ｓｕｉｃａ（登録商標）、ＰＡＳＭＯ（登録商標）、ＷＡＯＮ（登録商標）、ｎａｎａｃｏ（登録商標）等が上げられる。
【００１９】
複合機２０は、例えば、普通紙に印刷する機能（プリンタ機能）、原稿を読み取る機能（スキャナ機能）、及びＦＡＸ機能等の各種機能を有する画像処理装置である。なお、当該各種機能は、別々の装置により提供されるようにしてもよい。また、複合機２０は、ＭＦＰ（Multi- Function Peripheral）、複写機、コピー機等と称されてもよい。複合機２０は、情報端末３０から受信する指示に従って、印刷、スキャナ、ＦＡＸ等の各種の画像処理に係る機能（画像処理に関係する機能）を実行する。なお、スキャナ機能は単に原稿を読み取るだけでなく、読み取った画像データを例えばユーザの携帯端末やＵＳＢメモリ等の外部の装置へ送信する機能を提供していてもよい。
【００２０】
情報端末３０は、ディスプレイ４６を有しており、ユーザとのユーザインタフェースを提供する情報処理装置である。
【００２１】
なお、実施形態に係る情報端末３０は、印画紙（感光材料を塗布した用紙）に印刷する印刷装置も有するため、写真印刷装置と称することもできる。なお、情報端末３０は、印刷装置を有しない構成としてもよい。この場合には複合機２０が印画紙に印刷する機能を備えていてもよい。
【００２２】
情報端末３０は写真取り出し口４１、メディアスロット４７、硬貨投入口４８、タッチエリア４２、レシート出力口４３、釣り銭取り出し口４４、アクセスポイント４５、及び載置部４９を有する。
【００２３】
載置部４９は、決済媒体１０で代金を決済する場合に、決済媒体１０のデータを読み取るために、ユーザが決済媒体１０を載置可能な部位である。図１の例では、載置部４９は、情報端末３０の筐体の水平面に埋め込まれたカードリーダ３２０により構成されている。
【００２４】
なお、載置部４９は、水平面を有さなくてもよい。この場合、載置部４９は、例えば、決済媒体１０を載置する斜面、及び決済媒体１０の下部を保持するための当該斜面に垂直な面等により構成されてもよい。または、載置部４９は、例えば、垂直面と、決済媒体１０を保持するためのフックまたはクリップ等の機構により構成されてもよい。
【００２５】
情報端末３０は、例えば、以下のようにして、プリント、スキャン、ＦＡＸ等の画像処理に係るサービスを提供する。
【００２６】
まず、ユーザは携帯端末を情報端末３０のタッチエリア４２に接近させる。これにより、携帯端末は、情報端末３０の無線通信装置３０９と通信し、アクセスポイント４５を介して複合機２０と通信するための通信情報を無線通信装置３０９から取得する。無線通信装置３０９はＩＣタグやBluetooth（登録商標）に対応した通信装置である。したがって、携帯端末は情報端末３０とアクセスポイント４５を介して通信可能になる。
【００２７】
携帯端末、印刷可能なファイルを記憶している。あるいは、携帯端末はクラウド上の文書サーバに蓄積されているファイルを複合機２０に印刷させる機能を有している（文書サーバに蓄積されているファイルをダウンロードする機能も有している）。携帯端末は、具体的には、スマートフォン、携帯電話、タブレット端末、ゲーム機、ＰＤＡ（Personal Digital Assistant）、デジタルカメラ、ウェアラブルＰＣ（Personal Computer）、ノートＰＣなどである。
【００２８】
スキャナ機能を利用する場合、ユーザはディスプレイ４６のタッチパネルを介してスキャナによる読取条件を設定する。設定された読取条件に基づいて原稿のスキャンが行われると電子化された画像データが複合機２０から情報端末３０に送信される。そして、情報端末３０が、メディアスロット４７に接続されたＵＳＢメモリ、または携帯端末に画像データを送信する。
【００２９】
また、プリンタ機能を利用する場合、ユーザは携帯端末のファイルを選択して、情報端末３０との通信接続を行い、情報端末３０にファイルを送信する。ユーザはディスプレイ４６のタッチパネルを介して、情報端末３０又は複合機２０による印刷の印刷設定を入力する。プレビューなどを確認すると、写真プリントの場合は受信したファイルを情報端末３０が印刷し、普通紙プリントの場合は複合機２０にファイルのデータを送信して複合機２０が印刷する。
【００３０】
なお、情報端末３０と複合機２０は別々の装置でなくてもよく、一つの装置（画像処理装置）として構成してもよい。図示するように別々の装置として構成されているのは、既存の複合機２０の転用が可能であるためである。
【００３１】
＜ハードウェア構成＞
<<情報端末３０のハードウェア構成>>
図２は、情報端末３０のハードウェア構成の一例を示す図である。情報端末３０は、一般的なＰＣやサーバ等の情報処理装置と同様の構成に加え、情報端末３０に特有の構成を有する。
【００３２】
情報端末３０は、ＣＰＵ３０１、ＲＡＭ３０２、ＲＯＭ３０３、ディスプレイ４６、タッチパネル３０５、ネットワークＩ／Ｆ３０６、ＨＤＤ３０７、外部Ｉ／Ｆ３０８、無線通信装置３０９、カードリーダ３２０、及びＩ／Ｆ３１０がバスを介して接続されている。また、Ｉ／Ｆ３１０にはメディアＩ／Ｆ３１１、写真搬送部３１２、写真印刷ユニット３１３、レシート印刷装置３１４及び課金装置３１５が接続されている。
【００３３】
ＣＰＵ３０１は演算手段であり、ＨＤＤ３０７からＲＡＭ３０２に展開されたプログラム３０７ｐを実行することで情報端末全体の動作を制御する。ＲＡＭ３０２は、情報の高速な読み書きが可能な揮発性の記憶媒体であり、ＣＰＵ３０１が情報を処理する際の作業領域として用いられる。
【００３４】
ＲＯＭ３０３は、読み出し専用の不揮発性記憶媒体であり、ファームウェア等のプログラムやＢＩＯＳ設定など格納されている。ＨＤＤは、情報の読み書きが可能な不揮発性の記憶媒体であり、ＯＳや写真印刷装置用のプログラム等が格納されている。
【００３５】
外部Ｉ／Ｆ３０８は、外部装置や記憶媒体が接続されるインタフェースであり、例えばＵＳＢケーブルなどが接続される。本実施形態では外部Ｉ／Ｆ３０８に複合機２０が接続されているものとする。
【００３６】
無線通信装置３０９は、例えばＮＦＣなどの通信規格のＩＣタグである。あるいは、Bluetoothなどの通信装置でもよい。無線通信装置３０９は携帯端末の接近を検出すると、携帯端末に通信情報を送信する。無線通信装置３０９は、情報端末３０の筐体の内部の所定位置に配置されて構成されているが、情報端末３０の外部に配置されていてもよい。無線通信装置３０９が提供する通信情報は、リーダ・ライタなどを用いて管理者が書き換えることが可能である。
【００３７】
また、無線通信装置３０９は、情報端末３０と一体である必要はなく、情報端末３０の近くや情報端末３０とは別の装置、又は、案内板などに配置されていてもよい。また、複合機２０が無線通信装置３０９を有していてもよい。
【００３８】
Ｉ／Ｆ３１０は、メディアＩ／Ｆ３１１、写真搬送部３１２、写真印刷ユニット３１３、レシート印刷装置３１４及び課金装置３１５と、バスＢとの動作クロックの違いを調整して、メディアＩ／Ｆ３１１、写真搬送部３１２、写真印刷ユニット３１３、レシート印刷装置３１４及び課金装置３１５からバスＢ又はその逆の通信を制御する。また、Ｉ／Ｆ３１０はメディアＩ／Ｆ３１１、写真搬送部３１２、写真印刷ユニット３１３、レシート印刷装置３１４及び課金装置３１５からの通信を調停する。
【００３９】
メディアＩ／Ｆ３１１はＵＳＢメモリやＳＤメモリなどの記憶媒体が接続されるインタフェースである。本実施形態ではメディアＩ／Ｆ３１１に接続された記憶媒体からファイルを読み出して印刷することができる。
【００４０】
写真搬送部３１２は、印刷された写真をユーザが取り出すための機構であり、紙搬送機構や写真取り出し口４１などが相当する。写真印刷ユニット３１３は、印画紙に写真を印刷する装置であり、レーザの光源、露光装置、及び現像器等を有する。レシート印刷装置３１４は、例えば熱転写方式の印刷装置であり原稿の読み取り数、印刷枚数、単価、合計金額などをレシートとして印刷する。
【００４１】
課金装置３１５は、投入された硬化の金種と数を判定し投入金額を算出し、また、スキャンジョブ、印刷ジョブ、及びＦＡＸジョブ等の進捗に応じて投入金額から単価を減じる。残金はＣＰＵ３０１に通知され、ＣＰＵ３０１はスキャンジョブ、印刷ジョブ、及びＦＡＸジョブ等を継続するかどうかを判定する。また、ユーザが返金する操作を行うと残金を釣り銭取り出し口４４から返金する。
【００４２】
カードリーダ３２０は、決済媒体１０からデータを読み取る装置である。カードリーダ３２０は、オフライン方式で決済を行う場合、決済媒体１０に残高等のデータを書き込むライタ機能を有してもよい。カードリーダ３２０は、非接触型でもよいし、接触型でもよい。
【００４３】
カードリーダ３２０は、載置部４９の近傍に設けられる。例えば、カードリーダ３２０が載置部４９の少なくとも一部を構成するようにしてもよいし、載置部４９の裏側等にカードリーダ３２０を設置するようにしてもよい。
【００４４】
<<複合機２０>>
本実施例に係る複合機２０は、例えば図３に示すようなハードウェア構成により実現される。図３は、複合機２０のハードウェア構成の一例を示す図である。図３に示す複合機２０は、コントローラ２０１、操作パネル２０２、外部Ｉ／Ｆ２０３、通信Ｉ／Ｆ２０４、プリンタ２０５及びスキャナ２０６などを有している。
【００４５】
コントローラ２０１はＣＰＵ２１１、ＲＡＭ２１２、ＲＯＭ２１３と、ＮＶＲＡＭ２１４、ＨＤＤ２１５を有する。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種のプログラム２１５ａやデータが格納されている。
【００４６】
ＣＰＵ２１１は、ＲＯＭ２１３やＮＶＲＡＭ２１４、ＨＤＤ２１５などからプログラム２１５ａやデータ、設定情報等をＲＡＭ２１２上に読み出し、処理を実行することで、複合機２０全体の制御や機能を実現する。
【００４７】
操作パネル２０２はユーザからの入力を受け付ける入力部と、表示を行う表示部とを備えている。本実施形態では複合機２０の操作パネル２０２は使用されないが、操作パネル２０２で読取条件や印刷設定を受け付けてもよい。
【００４８】
外部Ｉ／Ｆ２０３は外部装置とのインタフェースである。外部装置には、記録媒体２０３ａや情報端末３０等がある。これにより、複合機２０は外部Ｉ／Ｆ２０３を介して情報端末３０と通信できる。なお、記録媒体２０３ａには、フレキシブルディスク、ＣＤ、ＤＶＤ、ＳＤメモリカード、ＵＳＢメモリなどがある。
【００４９】
通信Ｉ／Ｆ２０４は、ネットワークＮを介した通信を行うためのインタフェースである。本実施形態では、複合機２０はネットワークＮに接続しなくてよい
プリンタ２０５は、印刷対象データを印刷して出力するための印刷装置である。スキャナ２０６は原稿を光学的に読み取って電子データに変換する読み取り装置である。
【００５０】
＜機能について＞
画像処理システム１００は、例えば図４に示すような機能ブロックにより表すことができる。図４は、画像処理システム１００の機能ブロックの一例を示す図である。
【００５１】
<<情報端末の機能>>
情報端末３０は、受付部３１、読取部３２、決済部３３、制御部３４、及び通信部３５を有する。これら各部は、情報端末３０にインストールされた１以上のプログラムが、情報端末３０のＣＰＵ３０１に実行させる処理により実現される。
【００５２】
受付部３１は、印刷、スキャナ、ＦＡＸ等の課金の対象となる画像処理に係る機能の設定を受け付ける。
【００５３】
読取部３２は、カードリーダ３２０を用いて、決済媒体１０からデータを読み取る。
【００５４】
決済部３３は、読取部３２により読み取られたデータに基づいて、代金を決済する。
【００５５】
制御部３４は、決済部３３による代金の決済が完了した後、カードリーダ３２０から決済媒体１０が離された際に、受付部３１で受け付けた設定に応じた画像処理に係る機能の実行を、複合機２０に指示する。
【００５６】
通信部３５は、決済媒体１０、複合機２０、及び管理サーバ６０との通信を行う。
【００５７】
<<複合機の機能>>
複合機２０は、実行部２１、及び通信部２２を有する。これら各部は、複合機２０にインストールされた１以上のプログラムが、複合機２０のＣＰＵ２１１に実行させる処理により実現される。
【００５８】
実行部２１は、印刷、スキャナ、ＦＡＸ等の画像処理を実行する。また、実行部２１は、情報端末３０からの指示に従い、当該画像処理に係る機能を実行する。
【００５９】
通信部２２は、情報端末３０との通信を行う。
【００６０】
＜処理＞
次に、図５を参照し、通信システム１の処理について説明する。図５は、通信システム１の処理の一例を示すシーケンス図である。以下では、コピー、及びプリントのサービスを提供する場合を例として説明する。
【００６１】
ステップＳ１０１において、情報端末３０の受付部３１は、ユーザからの画像処理に係る機能の設定操作を受け付ける。
【００６２】
ここで、情報端末３０の受付部３１は、例えば、印刷部数、用紙の種別、用紙サイズ、及びカラー／モノクロ等の印刷設定の操作を受け付ける。
【００６３】
続いて、情報端末３０の受付部３１は、設定された画像処理に係る機能の代金を算出し、算出した代金を表示する（ステップＳ１０２）。
【００６４】
続いて、情報端末３０の読取部３２は、決済媒体１０から、データを読み取る（ステップＳ１０３）。ここで、情報端末３０の読取部３２は、例えば、決済媒体１０のカード番号等を読み取る。
【００６５】
続いて、情報端末３０の決済部３３は、決済媒体１０から読み取ったデータ、及び画像処理に係る機能の代金を、管理サーバ６０に送信する（ステップＳ１０４）。
【００６６】
続いて、管理サーバ６０は、決済媒体１０から、受信した代金の決済処理を行う（ステップＳ１０５）。
【００６７】
続いて、管理サーバ６０は、決済の完了通知を情報端末３０に送信する（ステップＳ１０６）。
【００６８】
続いて、情報端末３０の制御部３４は、決済媒体１０を取り除くことを促すメッセージを出力する（ステップＳ１０７）。
【００６９】
続いて、情報端末３０の制御部３４は、決済媒体１０が離されたことを検知する（ステップＳ１０８）。
【００７０】
続いて、情報端末３０の制御部３４は、画像処理の設定に関するデータと、画像処理に係る機能の実行の要求を複合機２０に送信する（ステップＳ１０９）。
【００７１】
続いて、複合機２０の実行部２１は、受信した要求に従って画像処理に係る機能の実行を開始し、画像処理結果を出力する（ステップＳ１１０）。ここで、複合機２０の実行部２１は、コピー、及びプリントのサービスを提供する場合、印刷した用紙を出力する。つまり、ここでの課金の対象となる画像処理に係る機能とは、印刷設定に基づいて印刷を実行する機能を示している。
【００７２】
複合機２０の実行部２１は、スキャンのサービスを提供する場合、スキャンしたデータを、無線通信により携帯端末と直接確立した通信セッションを利用して、またはメール等により携帯端末に送信する。あるいは、スキャンしたデータを、クラウド等に保存する。この場合、課金の対象となる画像処理に係る機能としては、原稿のスキャンではなく、スキャンした原稿の画像データを、例えば、ユーザの携帯端末へ送信する、あるいはクラウドや外部のストレージ等に保存する機能であってもよい。この場合、例えば、ユーザが決済媒体１０をリーダから離すことが検知された場合に、複合機２０の実行部２１は、予め原稿をスキャンして生成しておいた画像データをユーザの携帯端末へ送信する、あるいはクラウドや外部のストレージ等に保存する。なお、外部のストレージは、例えば、複合機２０に接続された記憶媒体（例えば、ＵＳＢメモリ等）であってもよい。
【００７３】
複合機２０の実行部２１は、ＦＡＸのサービスを提供する場合、ＦＡＸのデータを宛先に送信する。この場合、課金の対象となる画像処理に係る機能としては、原稿の読み取りではなく、ＦＡＸ送信する機能であってもよい。この場合、例えば、ユーザが決済媒体１０をリーダから離すことが検知された場合に、複合機２０の実行部２１は、予め原稿を読み取ることで生成しておいた画像データをＦＡＸにより送信する。
【００７４】
なお、複合機２０は、コピー、スキャナ、ＦＡＸ等の複数の画像処理の機能のうち、少なくとも１つの画像処理の機能のみを備えるようにしてもよい。
【００７５】
≪情報端末の処理≫
次に、図６、図７Ａ乃至図７Ｅを参照し、情報端末３０の処理について説明する。図６は、情報端末３０の処理の一例を示すフローチャートである。図７Ａ乃至図７Ｅは、情報端末３０の表示画面の一例を示す図である。
【００７６】
ステップＳ２０１において、受付部３１は、ユーザからの画像処理に係る機能の設定操作を受け付ける。図７Ａは、設定操作を受け付ける際の表示画面の一例を示す図である。図７Ａの例では、操作領域７０１に表示されたボタン等の操作により、印刷する部数等が設定される。
【００７７】
続いて、受付部３１は、設定された画像処理に係る機能を実行させるためにかかる代金を算出し、算出した代金を表示する（ステップＳ２０２）。図７Ａの例では、表示領域７０２に、算出された代金が表示されている。
【００７８】
続いて、受付部３１は、いずれの支払い方法（決済方法）が選択されたか判定する（ステップＳ２０３）。
【００７９】
現金による支払いが選択された場合（ステップＳ２０３で現金）、受付部３１は、現金の投入を受ける（ステップＳ２０４）。
【００８０】
続いて、受付部３１は、スタートボタンの押下を受け付ける（ステップＳ２０５）。
【００８１】
続いて、決済部３３は、現金により代金を決済する（ステップＳ２０６）。
【００８２】
続いて、制御部３４は、ユーザから要求された画像処理に係る機能を複合機２０に実行させ（ステップＳ２０７）、処理を終了する。
【００８３】
これにより、ユーザは、現金で支払う場合は、従来のコピー機の操作と同様に、硬貨等を投入した後、スタートボタン等のボタンを押下する操作により、複合機２０によるサービスの提供を受けることができる。
【００８４】
一方、決済媒体１０による支払いが選択された場合（ステップＳ２０３で決済媒体）、受付部３１は、スタートボタン等のボタンの押下を受け付ける（ステップＳ２０８）。図７Ａの例では、現金支払いボタン７０３、カード支払いボタン７０４のうち、カード支払いボタン７０４が押下された場合、決済媒体１０による支払いが選択されたと判定される。また、図７Ａの例では、ボタン７０５が押下されることにより、画像処理に係る機能に関する設定が完了したと判定され、代金を決済する段階に移行される。
【００８５】
続いて、受付部３１は、決済媒体１０をカードリーダ３２０（以下で単に「リーダ」とも称する。）にて読み取らせることを促すメッセージを出力する（ステップＳ２０９）。図７Ｂは、決済媒体１０をリーダにて読み取らせることを促すメッセージの表示画面の一例を示す図である。図７Ｂの例では、領域７１１に、「カードをタッチしてください。」というメッセージ７１２、及びリーダの位置を示す画像７１３が表示されている。
【００８６】
続いて、読取部３２は、決済媒体１０からデータを読み取る（ステップＳ２１０）。
【００８７】
続いて、決済部３３は、決済媒体１０により代金を決済する（ステップＳ２１１）。図７Ｃは、決済中の表示画面の一例を示す図である。図７Ｃの例では、管理サーバ６０との通信中に、決済媒体１０を動かされると通信エラーが発生して決済が行われない場合があるため、領域７２１に、「カードを外さないでください。」というメッセージ７２２が表示されている。図７Ｄは、決済が完了した際の表示画面の一例を示す図である。図７Ｄの例では、領域７３２に、決済媒体１０の残高が表示されている。
【００８８】
続いて、制御部３４は、決済媒体１０をリーダから離すことを促すメッセージを出力する（ステップＳ２１２）。図７Ｅは、決済媒体１０をリーダから離すことを促すメッセージの表示画面の一例を示す図である。図７Ｅの例では、領域７４１に、「お支払いが完了しました。」というメッセージ７４２、「カードを話すとプリントが始まります。」というメッセージ７４３、リーダからカードを外すことを促す画像７４４が表示されている。
【００８９】
続いて、制御部３４は、決済媒体１０がリーダから離されたか否かを判定する（ステップＳ２１３）。ここで、制御部３４は、例えば、リーダと決済媒体１０との近接無線通信、または端子の接触による通信が不可能になった場合に、決済媒体１０がリーダから離されたと判定する。なお、決済媒体１０がリーダから離されたか否かの判定方法としては、どのような方法を用いてもよい。例えば、決済媒体１０と通信可能であっても、決済媒体１０が載置部４９から離れたことを検知できる機構を用いて、離されたことを検知できるようにしてもよい。この場合、制御部３４は、例えば、載置部４９からの取り外しをセンサ等により検知した場合に、決済媒体１０がリーダから離されたと判定してもよい。
【００９０】
決済媒体１０がリーダから離されていない場合（ステップＳ２１３でＮＯ）、ステップＳ２１３の処理に進む。
【００９１】
決済媒体１０がリーダから離された場合（ステップＳ２１３でＹＥＳ）、ステップＳ２０７の処理に進む。
【００９２】
≪変形例その１≫
ステップＳ２１１で決済媒体１０による代金を決済した後、リーダから決済媒体１０が離される前に、課金対象となる画像処理に係る機能をキャンセルする操作を受け付けられると、決済部３３は、当該代金の決済をキャンセルしてもよい。この場合、決済部３３は、管理サーバ６０に決済のキャンセルを要求してもよいし、決済媒体１０に、当該代金を返金した額の残高を記録させてもよい。または、決済部３３は、レシート印刷装置３１４にて返金票を印刷し、店舗等のレジにて当該返金票を読み取らせ、当該代金を現金にて返金できるようにしてもよい。
【００９３】
≪変形例その２≫
制御部３４は、ステップＳ２１３で、所定時間（例えば、３０秒）以上経過しても決済媒体１０がリーダから離されていないと判断した場合、決済媒体１０をリーダから離すことを促すメッセージを、より強調して出力してもよい。この場合、制御部３４は、例えば、図７Ｅに示す「カードを話すとプリントが始まります。」というメッセージ７４３の文字の大きさを段階的に大きくしてもよい。または、制御部３４は、当該メッセージ７４３の文字を赤色等で表示する、あるいは点滅させて表示するようにしてもよい。
【００９４】
また、制御部３４は、ステップＳ２１３で、所定時間以上経過しても決済媒体１０がリーダから離されていないと判断した場合、決済媒体１０をリーダから離すことを促すメッセージを、音声にて報知してもよい。または、制御部３４は、ステップＳ２１２の処理において、決済媒体１０をリーダから離すことを促すメッセージを音声にて報知した場合、ステップＳ２１３で、所定時間以上経過しても決済媒体１０がリーダから離されていないと判断した場合、当該メッセージの音声の音量を段階的に大きくしてもよい。
【００９５】
≪変形例その３≫
制御部３４は、ステップＳ２１３で、所定時間以上経過しても決済媒体１０がリーダから離されていないと判断した場合、決済媒体１０に記録されている、または管理サーバ６０において決済媒体１０に対応付けて記憶されている連絡先に、ショートメッセージ（ＳＭＳ）やＥメール等を用いて、決済媒体１０をリーダから離すことを促すメッセージを送信してもよい。これにより、情報端末３０の操作に不慣れなユーザの場合でも、当該メッセージに気付くことができる。また、この場合、制御部３４は、予め設定されている、情報端末３０が設置された店舗や施設の名称を含めて送信してもよい。これにより、ユーザが決済媒体１０を情報端末３０に載置したまま別の場所に移動した場合でも、決済媒体１０を置き忘れた場所を知らせることができる。
【００９６】
＜まとめ＞
電子マネーカード等との通信中に、当該カードが動かされたり移動されたりすると、通信エラーが発生して決済が失敗する場合がある。そのため、カード等をリーダ上にかざしたまま（置いたまま）放置した状態にしておくことが望ましい。しかし、一旦カード等を放置すると、印刷等の設定や、印刷物等の取り出し等に気をとられ、利用後にカード等を取り忘れることがある。
【００９７】
上述した実施形態によれば、カード等がリーダから外された際に、印刷やスキャンした画像データの送信、ＦＡＸ送信等の課金対象である画像処理に係る機能の処理を開始する。これにより、カード等の取り忘れを防ぐことができる。
【００９８】
なお、上述した「画像処理に係る機能」は、画像処理装置が実行可能な画像処理に係る機能であればよく、上述した実施形態で説明した画像処理に係る機能はあくまで一例であり、これらに限られない。
【００９９】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１００】
例えば、情報端末３０、及び複合機２０の各機能部のうち少なくとも一部は、例えば１以上のコンピュータにより構成されるクラウドコンピューティングにより実現されていてもよい。
【０１０１】
また、図４などの構成例は、情報端末３０、及び複合機２０の処理の理解を容易にするために、主な機能に応じて分割したものである。処理単位の分割の仕方や名称によって本願発明が制限されることはない。また、情報端末３０、及び複合機２０の処理は、処理内容に応じて更に多くの処理単位に分割することもできる。また、１つの処理単位が更に多くの処理を含むように分割することもできる。
【符号の説明】
【０１０２】
１  通信システム
１０  決済媒体
１００  画像処理システム
２０  複合機（「画像処理装置の一例。」）
２１  実行部
２２  通信部
３０  情報端末（「情報処理装置の一例。」）
３１  受付部
３２  読取部
３３  決済部
３４  制御部
３５  通信部
３１４  レシート印刷装置
３１５  課金装置
３２０  カードリーダ
４８  硬貨投入口
４９  載置部
６０  管理サーバ（「外部装置」の一例。）
【先行技術文献】
【特許文献】
【０１０３】
【特許文献１】特開２００８−０３３７５７号公報
【図１】
2019036840.tif 000003
【図２】
2019036840.tif 000004
【図３】
2019036840.tif 000005
【図４】
2019036840.tif 000006
【図５】
2019036840.tif 000007
【図６】
2019036840.tif 000008
【図７Ａ】
2019036840.tif 000009
【図７Ｂ】
2019036840.tif 000010
【図７Ｃ】
2019036840.tif 000011
【図７Ｄ】
2019036840.tif 000012
【図７Ｅ】
2019036840.tif 000013